(57)【要約】【課題】ドア本体の吊元側部分の室内側面と枠側気密材との間に人の指がはさまれ難くすることができると共に、ドア本体の吊元側部分の室内側角部が枠側気密材と干渉することにより音鳴りを抑制することができ、枠側気密材が捲りあげられることがないようにしたドアとする。【解決手段】枠側気密材１４を、吊元側縦枠１０に装着される装着部２０とヒレ部３０を有し、そのヒレ部３０は、ドア本体２の吊元側部分２ａの室内側面２ｃに接する先端側部分３０ａが、前記装着部２０と連続した基端側部分３０ｂよりも面内方向内側寄りとなるように面内方向に対して斜めで、ドア本体２が開き位置の場合に、そのヒレ部３０が面内方向外側に向けて変形し難くしたドア。【選択図】図５
2010001719.tif 000002
【特許請求の範囲】
【請求項１】
ドア枠に、ドア本体をヒンジで室外側の開き位置と室内側の閉じ位置とに亘って回動自在で、かつ回動中心がドア本体の厚さ内として取付け、前記ドア本体の吊元側部分の室内側面とドア枠の吊元側縦枠との間を枠側気密材で気密するドアであって、
前記枠側気密材は、吊元側縦枠に装着される装着部と、この装着部と連続し前記ドア本体の吊元側部分の室内側面に接するヒレ部を備え、
前記ヒレ部は、前記ドア本体の吊元側部分の室内側面に接する先端側部分が、前記装着部と連続した基端側部分よりも面内方向内側寄りとなるように面内方向に対して斜めとなる形状であることを特徴とするドア。
【請求項２】
枠側気密材のヒレ部は、装着部の面内方向外側寄りに連結した面外方向室外側に向かうヒレ片と、このヒレ片の面外方向中間部と前記装着部の面内方向内側寄りに亘って連結した支持脚片とでほぼ人の字形状、又は入の字形状で、
前記ヒレ片は、ドア本体の吊元側部分の室内側面に接する先端側ヒレ片部が、前記装着部に連結した基端側ヒレ片部よりも面内方向内側寄りとなるように面内方向に対して斜めで且つ面内方向内側に向う形状であり、
前記支持脚片は、前記先端側ヒレ片部が室内側に向けて押されると面内方向に向けて弾性的に折れ込み変形するようにした請求項１記載のドア。
【請求項３】
枠側気密材のヒレ部の支持脚片は、その面外方向中間部が、前記ヒレ片と連結した面外方向室外側の先端部、装着部と連結した面外方向室内側の基端部よりも面内方向外側寄りである請求項２記載のドア。
【請求項４】
枠側気密材のヒレ部の支持脚片は、その面外方向中間部の面内方向外側面に切り欠きが形成されている請求項３記載のドア。
【発明の詳細な説明】
【技術分野】
【０００１】  本発明は、玄関ドア、勝手口ドアなどのドアに関する。
【背景技術】
【０００２】  従来、ドアとしては、ドア枠にドア本体をヒンジで開き位置と閉じ位置とに亘って回動自在に取付けたものが一般的である。
前述したドアにおいては、ドア本体を閉じ位置とした閉じ状態においてドア枠とドア本体との間を気密している。
例えば、特許文献１に開示されたように、ドア枠に枠側気密材を装着し、ドア本体を閉じ位置とした閉じ状態のときにドア本体の室内側面が枠側気密材に接してドア枠とドア本体との間を気密している。
【特許文献１】特開平７−１９７７５３号公報
【発明の開示】
【発明が解決しようとする課題】
【０００３】  前述した従来のドアの枠側気密材は、ドア枠に装着するための装着部と、この装着部と連続しドア本体の室内側面に接するヒレ部を備え、そのヒレ部はドア本体の室内側面に接する先端側部分が、装着部と連続した基端側部分よりも面内方向においてドア枠寄り（つまり、面内方向外側寄り）となるように面内方向に対して斜めとなるように面内方向外側に向う形状である。
このようであるから、枠側気密材のヒレ部を人が指で押すことで面内方向外側に向けて容易に変形するので、ドア本体の回動中心がドア本体の厚さ内、例えばピボット軸タイプのヒンジでドア本体を回動自在に取付け、そのピポット軸がドア本体の厚さ内に位置するドアであると、そのドア本体の吊元側部分において、ドア本体が開き位置の場合に、枠側気密材のヒレ部を人が指で押すことで、ドア本体の吊元側部分の室内側面とヒレ部との間に指が容易に入り込むことがあり、この状態でドア本体を閉じ位置に向けて回動すると、ドア本体の吊元側部分の室内側面と枠側気密材との間に人の指がはさまれることがある。【０００４】  また、前述したように、ドア本体の回動中心がドア本体の厚さ内のドアであると、そのドア本体の吊元側部分における面内方向の外側の外側面と室内側面との室内側角部が、ドア本体を閉じ位置と開き位置とに亘って回動するときに、枠側気密材と干渉し、そのヒレ部を面内方向内側に向けて捲りあげるので、その際に音鳴りが発生して不快を感じることがあると共に、枠側気密材のヒレ部が部分的に捲りあげられた状態のままになる場合もあり、意匠が悪くなる。【０００５】  本発明の目的は、ドア本体の回動中心がドア本体の厚さ内のドアにおいて、ドア本体の吊元側部分の室内側面と枠側気密材との間に人の手がはさまれ難くすることができると共に、ドア本体の吊元側部分の室内側角部が枠側気密材のヒレ部に干渉することによる音鳴りを抑制でき、更にはヒレ部が捲りあげられることがないようにしたドアとすることである。
【課題を解決するための手段】
【０００６】  本発明は、ドア枠に、ドア本体をヒンジで室外側の開き位置と室内側の閉じ位置とに亘って回動自在で、かつ回動中心がドア本体の厚さ内として取付け、前記ドア本体の吊元側部分の室内側面とドア枠の吊元側縦枠との間を枠側気密材で気密するドアであって、
前記枠側気密材は、吊元側縦枠に装着される装着部と、この装着部と連続し前記ドア本体の吊元側部分の室内側面に接するヒレ部を備え、
前記ヒレ部は、前記ドア本体の吊元側部分の室内側面に接する先端側部分が、前記装着部と連続した基端側部分よりも面内方向内側寄りとなるように面内方向に対して斜めとなる形状であることを特徴とするドアである。【０００７】  本発明のドアにおいては、枠側気密材のヒレ部は、装着部の面内方向外側寄りに連結した面外方向室外側に向かうヒレ片と、このヒレ片の面外方向中間部と前記装着部の面内方向内側寄りに亘って連結した支持脚片とでほぼ人の字形状、又は入の字形状で、
前記ヒレ片は、ドア本体の吊元側部分の室内側面に接する先端側ヒレ片部が、前記装着部に連結した基端側ヒレ片部よりも面内方向内側寄りとなるように面内方向に対して斜めで且つ面内方向内側に向う形状であり、
前記支持脚片は、前記先端側ヒレ片部が室内側に向けて押されると面内方向に向けて弾性的に折れ込み変形するようにできる。
このようにすれば、ヒレ片の先端側ヒレ片部がドア本体の吊元側部分の室内側面に強く接し、十分な気密効果を得ることができる。【０００８】  本発明のドアにおいては、枠側気密材のヒレ部の支持脚片は、その面外方向中間部が、前記ヒレ片と連結した面外方向室外側の先端部、装着部と連結した面外方向の基端部よりも面内方向外側寄りとすることができる。
このようにすれば、ヒレ片の先端側ヒレ片部がドア本体で室内側に押されたときに、支持脚片は面内方向外側に折れ込み変形するので、室内側から見た場合が支持脚片が目立つことがなく、見栄えが良い。【０００９】  本発明のドアにおいては、枠側気密材のヒレ部の支持脚片は、その面外方向中間部の面内方向外側面に切り欠きが形成することができる。
このようにすれば、支持脚片は面内方向外側により一層折れ込み変形し易い。
【発明の効果】
【００１０】  本発明によれば、ドア本体の回動中心がドア本体の厚さ内のドアにおいて、ドア本体の吊元側部分の室内側面と枠側気密材との間に人の手がはさまれ難くすることができる。
また、ドア本体の吊元側部分の室内側角部が枠側気密材のヒレ部に干渉することによる音鳴りを抑制できるとともに、ヒレ部が捲りあげられることがない。
【発明を実施するための最良の形態】
【００１１】  図１と図２に示すように、ドア枠１にドア本体２の吊元側部分２ａがヒンジ３で閉じ位置と開き位置とに亘って面外方向に回動自在に取付けてある。前記面外方向とは室内側と室外側に向かう方向（つまり、見込み方向）で、ドア本体２を室外側に向けて回動すると開き位置、室内側に向けて回動すると閉じ位置となる。この面外方向と直角な方向を面内方向とする。
前記ドア枠１は、吊元側縦枠１０と戸先側縦枠１１と上枠１２と下枠１３を備え、吊元側縦枠１０の室内側部１０ａには枠側気密材１４が室外側に向けて装着されていると共に、戸先側縦枠１１の室内側部分１１ａには枠側気密材１５が室外側に向けて装着され、上枠１２、下枠１３にも枠側気密材（図示せず）が室外側に向けて装着してある。
前記ドア本体２が閉じ位置のときに前述の各枠材気密材１４，１５がドア本体２の吊元側部分２ａ、戸先側部分２ｂの室外側面２ｃにそれぞれ接する。【００１２】  前記ドア本体２の回動中心３ａ（ヒンジ３の回動中心）はドア本体２の厚さ内（室内側面２ｃと室外側面２ｄとの間）である。例えば、ヒンジ３がピポット軸タイプのヒンジで、そのピポット軸がドア本体２の厚さ内に取付けてある。【００１３】  前記吊元側縦枠１０に装着した枠側気密材１４は、図３に示すように、吊元側縦枠１０に装着される装着部２０と、この装着部２０と連続しドア本体２の吊元側部分２ａの室内側面２ｃに接するヒレ部３０を備えている。
前記ヒレ部３０は、ドア本体２の吊元側部分２ａの室内側面２ｃに接する先端側部分３０ａが、装着部２０と連続した基端側部分３０ｂよりも面内方向においてドア枠１（吊元側縦枠１０）と反対側寄り、つまり面内方向内側寄りとなるように面内方向に対して斜めで且つ面外方向室外側に向かう湾曲形状である。【００１４】  このようであるので、図３に示すようにドア本体２が閉じ位置の場合には、ヒレ部３０の先端側部分３０ａがドア本体２の吊元側部分２ａの室内側面２ｃに接して室内側方に押されヒレ部３０は湾曲変形している。【００１５】  そして、ドア本体２をヒンジ３を中心として開き位置に向けて回動すると、図４に示すようにヒレ部３０が順次弾性復元して先端側部分３０ａがドア本体２の室内側面２ｃに接し続ける。【００１６】  図５に示すように、ドア本体２が図５に示す開き位置まで回動すると、ヒレ部３０は元の形状（図６に示す形状）に復元、または元の形状に近い形状まで復元し、その先端３０ｃはドア本体２の吊元側部分２０ａの室内側面２ｃと対向している。
このようであるから、ドア本体２が開き位置の場合に、ヒレ部３０を人の指で押すとヒレ部３０が、前述のように斜めに湾曲した形状であること、ドア本体２と干渉することによって、前記ヒレ部３０は吊元側縦枠１０側（面内方向外側）に向けて曲がり難く、人の指により通常の力でヒレ部３０を押したのでは、そのヒレ部３０の先端３０ｃがドア本体２の室内側面２ｃを越えて吊元側縦枠１０寄り（面内方向外側寄り）となり難いので、ドア本体２の吊元側部分２ａの室内側面２ｃと枠側気密材１４との間に指が入り込み難くなっている。
したがって、ドア本体２を閉じ位置に回動する場合にドア本体２の吊元側部分２ａの室内側面２ｃと枠側気密材２０との間に人に指がはさまれ難くなっている。【００１７】  前記ドア本体２の吊元側部分２ａの室内側角部２ｅ、つまり、ドア本体２の室内側面２ｃとドア本体２における吊元側縦枠１０と対向した面内方向外側面２ｆとのコーナー部は、ドア本体２の回動中心３ａを中心として回転移動するが、枠側気密材１４のヒレ部３０は、前述のように先端側部分３０ａが基端側部分３０ｂよりも面内方向内側寄りとなるように面内方向に対して斜めで且つ面外方向室外側に向かう湾曲形状であるから、前述の室内側角部２ｅがドア本体２の回動のときに枠側気密材１４のヒレ部３０に干渉しないようにまたは干渉を抑制することできるし、仮に、室内側角部２ｅがヒレ部３０に干渉してもヒレ部３０を面内方向内側に向けて湾曲させるだけで、そのヒレ部３０を面内方向外側に向けて捲りあげることがない。【００１８】  したがって、ドア本体２の吊元側部分２ａの室内側角部２ｅが枠側気密材１４のヒレ部３０に干渉することによる音鳴りを抑制することができるし、枠側気密材１４のヒレ部３０を捲りあげることもない。【００１９】  前記枠側気密材２０の具体形状を説明する。
図６に示すように、装着部２０は、吊元側縦枠１０の凹条溝に嵌め込まれる溝嵌め込み部２１と、この溝嵌め込み部２１の室外側部に一体的に設けたヒレ部連結片２２を有し、このヒレ部連結片２２の面内方向寸法は溝嵌め込み部２１の面内方向寸法よりも大きい。【００２０】  前記ヒレ部３０は、前記ヒレ部連結片２２の面内方向外側寄り（吊元側縦枠１０寄り）に連結した面外方向室外側に向かうヒレ片３１と、このヒレ片３１の面外方向中間部３１ａと前記ヒレ部連結片２２の面内方向内側寄り（吊元側縦枠１０と反対側寄り）に亘って連結した支持脚片３２を有し、ヒレ部３０はヒレ片３１と支持脚片３２でほぼ人の字形状である。【００２１】  前記ヒレ片３１は、ドア本体２の吊元側部分２ａの室内側面２ｃに接する先端側ヒレ片部３３がヒレ部連結片２２に連結した基端側ヒレ片部３４よりも面内方向内側寄りとなるように面内方向に対して斜めである。
このヒレ片３１の先端側ヒレ片部３３は、その先端寄り部分３３ａの面内方向に対する傾斜角度は、ドア本体２の吊元側部分２ａの室内側角部２ｅとの干渉を防ぐ（または干渉し難くする）ために、基端寄り部分３３ｂの面内方向に対する傾斜角度よりも小さくしてある。【００２２】  前記支持脚片３２は、ヒレ片３１が矢印ａで示すように室内側（装着部２０）に向けて押されたときに面内方向に向けて弾性的に折れ込み変形し、ヒレ片３１の面外方向ほぼ全長が室内側に向けて変形するようにしてある。【００２３】  前述のように、面内方向に対して斜めで面外方向室外側に向かうヒレ片３１と、このヒレ片３１の面外方向中間部３１ａに連結した支持脚片３２で、ヒレ部３０をほぼ人の字形状としたので、ヒレ片３１の面内方向に対する傾斜角度を小さくしても支持脚片３２によって装着部２０（ヒレ部連結片２２）に支持してヒレ部３０をしっかりとしたものにできる。
また、ヒレ片３１の先端側ヒレ片部３３がドア本体２の吊元側部分２ａの室内側面２ｃに接して室内側に押されたときには、支持脚片３２が弾性的に折れ込み変形してヒレ片３１の面外方向ほぼ全長が室内側に向けて変形する。
これによって、ヒレ片３１の先端側ヒレ片部３３がドア本体２の吊元側部分２ａの室内側面２ｃに強く接し、十分な気密効果が得られると共に、ヒレ片３１の傾斜角度を小さくできる。【００２４】  つまり、ヒレ部３０がヒレ片３１のみであると、そのヒレ片３１の面内方向に対する傾斜角度が小さくなるとヒレ片３１が倒れ易くなってドア枠２の吊元側部分２ａの室内側面２ｃに強く接することができない。
なお、ヒレ片３１の面内方向に対する傾斜角度が小さければ、人の指で押したときに吊元側縦枠１０側（面内方向外側）に湾曲変形し難い。【００２５】  前記支持脚片３２は、面外方向室外側に向けてほぼくの字形状に変形可能で、その支持脚片３２の面外方向中間部３２ａが、前記ヒレ片３１と連結した面外方向室外側の先端部３２ｂ、前記ヒレ部連結片２２に連結した面外方向室内側の基端部３２ｃよりも面内方向外側寄りとなっている。
これによって、ドア本体２でヒレ片３１の先端側ヒレ片部３３が押された場合に、支持脚片３２は図３に示すように面内方向外側に折れ込み変形するので、室内側から見た場合に支持脚片３２が目立つことがなく、見栄えが良い。
これに対して、支持脚片３２が面内方向内側に向けて折れ込むと、室内側から見た場合に、その支持脚片３２が目立つので、見栄えが悪い。【００２６】  前記支持脚片３２の面外方向中間部３２の面内方向外側面には切り欠き３５が形成され、前述のようにドア本体２でヒレ片３１が押された場合に、支持脚片３２が面内方向外側により一層折れ込み変形し易くしてある。【００２７】  前述の実施の形態では、ドア本体１の左側が吊元側であるから枠側気密材１４をほぼ人の字形状としたが、ドア本体１の右側が吊元側の場合には枠側気密材１４をほぼ入の字形状とすれば良い。
また、前述した実施の形態では、ヒレ片３１の形状は面内方向に対して斜めで且つ面外方向室外側に向う湾曲形状となっているが、面内方向に対して斜めで且つ面外方向室外側に向う直線形状となっていても良いし、ヒレ片３１における先端側ヒレ片部３３を湾曲形状として基端側ヒレ片部３４を直線形状としたり、先端側ヒレ片部３３を直線形状として基端側ヒレ片部３４を湾曲形状としても良い。
更に、前述した実施の形態では、支持脚片３２の形状は面外方向中間部３２ａが、ヒレ片３１と連結した面外方向室外側の先端部３２ｂ、ヒレ部連結片２２に連結した面外方向室内側の基端部３２ｃよりも面内方向外側寄りとなっているが、先端部３２ｂと面外方向中間部３２ａと基端部３２ｃとが面内方向において同じ位置となってもよい。また、先端部３２ｂよりも面内方向外側に中間部３２ａが位置すると共に、中間部３２ａよりも面内方向外側に基端部３２ｃが位置するようにしても良い。また、先端部３２ｂよりも面内方向内側に中間部３２ａが位置すると共に、中間部３２ａよりも面内方向内側に基端部３２ｃが位置するようにしても良い。
【図面の簡単な説明】
【００２８】
【図１】本発明のドアを示す内観図である。
【図２】図１の横断面図である。
【図３】図２の吊元側部分の拡大図である。
【図４】ドア本体が開き位置に向けて回動した状態の説明図である。
【図５】ドア本体が開き位置に回動した状態の説明図である。
【図６】枠側気密材の拡大説明図である。
【符号の説明】
【００２９】  １…ドア枠、２…ドア本体、２ａ…吊元側部分、２ｃ…室内側面、２ｅ…吊元側部分の室内側角部、３…ヒンジ、３ａ…回動中心、１０…吊元側縦枠、１４…枠側気密材、２０…装着部、３０…ヒレ部、３０ａ…先端側部分、３０ｂ…基端側部分、３０ｃ…先端、３１…ヒレ片、３１ａ…面外方向中間部、３２…支持脚片、３２ａ…面外方向中間部、３３…先端側ヒレ片部、３４…基端側ヒレ片部、３５…切り欠き。
【図１】
2010001719.tif 000003
【図２】
2010001719.tif 000004
【図３】
2010001719.tif 000005
【図４】
2010001719.tif 000006
【図５】
2010001719.tif 000007
【図６】
2010001719.tif 000008